(57)【要約】【課題】表示されている内容に連動させて、表示内容を簡単に変更する。【解決手段】本開示のサイネージデータ入力装置は、サイネージ表示装置に表示されているサイネージデータに連動して編集を行うサイネージデータ入力装置であって、サイネージ表示装置に表示されているサイネージデータのうち、編集可能な項目を受信する項目受信部と、編集可能な項目を編集するための編集画面を表示し、編集内容を受け付ける編集部と、編集内容を編集指示として送信する変更送信部と、を備える。【選択図】図１２
2015084205.tif 000002
【特許請求の範囲】
【請求項１】
サイネージ表示装置に表示されているサイネージデータに連動して編集を行うサイネージデータ入力装置であって、
前記サイネージ表示装置に表示されているサイネージデータのうち、編集可能な項目を受信する項目受信部と、
前記編集可能な項目を編集するための編集画面を表示し、編集内容を受け付ける編集部と、
前記編集内容を編集指示として送信する変更送信部と、を備える、
サイネージデータ入力装置。
【請求項２】
前記編集可能な項目は、前記サイネージ表示装置に表示されているサイネージデータが編集後のサイネージデータである場合は、更新時刻を含み、
前記編集部は、編集画面を表示する際に、前記更新時刻を表示する、
請求項１記載のサイネージデータ入力装置。
【請求項３】
前記項目受信部で受信する編集可能な項目は、前記サイネージ表示装置に表示された時刻を含み、
前記編集部は、現在時刻と前記編集可能な項目の時刻の差分を計算し、前記編集画面に表示する編集可能な項目を特定する、
請求項１記載のサイネージデータ入力装置。
【請求項４】
サイネージ表示装置のサイネージデータの表示とサイネージデータ入力装置の前記サイネージ表示装置に表示されているサイネージデータの編集とを制御するサーバであって、
前記サイネージ表示装置に表示されているサイネージデータの表示結果をログとして受信するログ受信部と、
前記ログから、編集可能な項目を抽出する解析部と、
前記編集可能な項目を前記サイネージデータ入力装置へ送信する項目送信部と、
前記サイネージデータ入力装置から前記サイネージ表示装置に表示されているサイネージデータに対して編集指示を受信する編集指示受信部と、
前記編集指示に基づいて、前記サイネージ表示装置に表示されているサイネージデータに対して編集を行う更新部と、
前記編集指示を前記サイネージ表示装置に送信するデータ送信部と、を備える、
サーバ。
【請求項５】
前記編集指示受信部は、前記サイネージデータ入力装置から、前記サイネージ表示装置に表示されているサイネージデータに対して編集中であることを受信した場合、前記更新部は、前記サイネージ表示装置に対して、表示しているサイネージデータの表示を一時停止するように、前記データ送信部を制御する、
請求項４記載のサーバ。
【請求項６】
サイネージ表示装置に表示されているサイネージデータを連動させて編集するサイネージデータ入力プログラムであって、
前記サイネージ表示装置に表示されているサイネージデータのうち、編集可能な項目を受信する項目受信ステップと、
前記編集可能な項目を編集するための編集画面を表示し、編集内容を受け付ける編集ステップと、
前記編集内容を編集指示として送信する変更送信ステップとを、コンピュータに実行させる、サイネージデータ入力プログラム。
【発明の詳細な説明】
【技術分野】
【０００１】
本開示は、サイネージデータ入力装置、サーバ及びサイネージデータ入力プログラムに関する。
【背景技術】
【０００２】
近年、ディスプレイ機器の価格低下に伴い、デジタルサイネージ（以下、サイネージ）が普及してきている。サイネージの利点のひとつは、表示内容を手軽に変更できることである。
【０００３】
特許文献１は、サイネージの内容を携帯電話機やパソコンを使って変更をすることができる、サイネージシステムについて開示している。この技術によれば、現場の運用者が簡単に表示内容を変更することができる。
【先行技術文献】
【特許文献】
【０００４】
【特許文献１】特開２００９−１７５８７３号公報
【発明の概要】
【発明が解決しようとする課題】
【０００５】
しかしながら、特許文献１は、サイネージの内容を変更する際の利用端末について述べているに過ぎず、その変更方法の詳細については開示されていない。本開示は、サイネージが表示されている内容を確認しながら、表示内容を簡単に変更するデータ入力装置を開示する。
【課題を解決するための手段】
【０００６】
本開示のサイネージデータ入力装置は、サイネージ表示装置に表示されているサイネージデータに連動して編集を行うサイネージデータ入力装置であって、サイネージ表示装置に表示されているサイネージデータのうち、編集可能な項目を受信する項目受信部と、編集可能な項目を編集するための編集画面を表示し、編集内容を受け付ける編集部と、編集内容を編集指示として送信する変更送信部と、を備える。
【０００７】
これにより、サイネージ表示装置の表示内容に連動させて、表示内容を簡単に変更することができる。
【発明の効果】
【０００８】
本開示に係るデータ入力装置は、サイネージの表示内容を簡単に変更することができる。
【図面の簡単な説明】
【０００９】
【図１】図１は、データ入力システムの構成を示す図である。
【図２】図２は、サイネージ表示装置がサイネージデータを表示する一例を示す図である。
【図３Ａ】図３Ａは、サイネージデータのフォーマットの一例を示す図である。
【図３Ｂ】図３Ｂは、図３Ａのサイネージデータのフォーマットで定義したサイネージデータの一例を示す図である。
【図４】図４は、サイネージデータ入力装置の編集画面の一例を示す図である。
【図５】図５は、サイネージデータ入力装置の編集画面を用いて編集を行った場合の一例を示す図である。
【図６】図６は、サイネージサーバの機能ブロック図である。
【図７】図７は、サイネージサーバのログの送受信の動作を示すフローチャートである。
【図８Ａ】図８Ａは、再生ログのフォーマットを示す図である。
【図８Ｂ】図８Ｂは、更新ログのフォーマットを示す図である。
【図８Ｃ】図８Ｃは、図８Ａの再生ログのフォーマットで定義した、ＤＳ２０１に対する再生ログを示す図である。
【図８Ｄ】図８Ｄは、図８Ａの再生ログのフォーマットで定義した、ＤＳ２０２に対する再生ログを示す図である。
【図８Ｅ】図８Ｅは、図８Ａの再生ログのフォーマットで定義した、ＤＳ２０３に対する再生ログを示す図である。
【図８Ｆ】図８Ｆは、図８Ａの再生ログのフォーマットで定義した、ＤＳ２０４に対する再生ログを示す図である。
【図８Ｇ】図８Ｇは、図８Ｂの更新ログのフォーマットで定義した、ＤＳ２０３Ａに対する更新ログを示す図である。
【図９Ａ】図９Ａは、編集可能な項目のフォーマットを示す図である。
【図９Ｂ】図９Ｂは、図９Ａのフォーマットで定義した、ＤＳ２０１の表示に対する編集可能な項目を示す図である。
【図９Ｃ】図９Ｃは、図９Ａのフォーマットで定義した、ＤＳ２０２の表示に対する編集可能な項目を示す図である。
【図９Ｄ】図９Ｄは、図９Ａのフォーマットで定義した、ＤＳ２０３の表示に対する編集可能な項目を示す図である。
【図９Ｅ】図９Ｅは、図９Ａのフォーマットで定義した、ＤＳ２０４の表示に対する編集可能な項目を示す図である。
【図９Ｆ】図９Ｆは、更新内容のフォーマットを示す図である。
【図９Ｇ】図９Ｇは、図９Ｆのフォーマットで定義した、ＤＳ２０３Ａの表示に対する更新内容を示す図である。
【図１０】図１０は、サイネージサーバの編集指示の動作を示すフローチャートである。
【図１１Ａ】図１１Ａは、編集指示のフォーマットを示す図である。
【図１１Ｂ】図１１Ｂは、図１１Ａのフォーマットで定義した、ＥＤ２０３Ａの編集画面に対応する編集指示を示す図である。
【図１２】図１２は、サイネージデータ入力装置の機能ブロック図である。
【図１３】図１３は、サイネージデータ入力装置の動作を示すフローチャートである。
【図１４】図１４は、サイネージ表示装置の機能ブロック図である。
【図１５】図１５は、サイネージ表示装置の動作を示すフローチャートである。
【図１６】図１６は、サイネージデータ入力装置の編集画面を用いて編集を行う場合の別の一例を示す図である。
【図１７】図１７は、サイネージデータ入力装置の編集画面を用いて編集を行う場合のさらに別の一例を示す図である。
【図１８】図１８は、サイネージ表示装置がサイネージデータを表示する別の一例を示す図である。
【図１９】図１９は、サイネージデータ入力装置の編集画面において編集可能な項目が複数の場合の一例を示す図である。
【図２０Ａ】図２０Ａは、図３Ａのサイネージデータのフォーマットで定義したサイネージデータの別の一例を示す図である。
【図２０Ｂ】図２０Ｂは、図８Ａの再生ログのフォーマットで定義した、ＤＳ１８０１に対する再生ログを示す図である。
【図２０Ｃ】図２０Ｃは、図９Ａのフォーマットで定義した、ＤＳ１８０１の表示に対する編集可能な項目を示す図である。
【図２０Ｄ】図２０Ｄは、図１１Ａのフォーマットで定義した、ＥＤ１８０１Ｂの編集画面に対応する編集指示を示す図である。
【図２０Ｅ】図２０Ｅは、図８Ｂの更新ログのフォーマットで定義した、ＤＳ１８０１Ａの表示に対する更新ログを示す図である。
【図２０Ｆ】図２０Ｆは、図９Ｆのフォーマットで定義した、ＤＳ１８０１Ａの表示に対する更新内容を示す図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
以下本開示の実施の形態について、図面を参照しながら説明する。
【００１３】
（実施の形態）
以下、本開示のデータ入力システムについて説明する。
【００１４】
［１―１．データ入力システムの構成］
図１は、データ入力システム１００の構成を示す図である。データ入力システム１００は、サイネージデータ入力装置１０１と、サイネージサーバ１０２と、サイネージ表示装置１０３で構成される。
【００１５】
サイネージサーバ１０２とサイネージ表示装置１０３との通信は、サイネージ表示装置１０３を識別できる情報である表示装置ＩＤを送信することで通信を確立する。さらに、通信する際には、セキュアな通信方式を採用して、成りすまし等を防ぐようにしてもよい。
【００１６】
サイネージサーバ１０２は、サイネージ表示装置１０３へ表示すべきサイネージデータを送付する。サイネージ表示装置１０３は、受け取ったサイネージデータを表示する。サイネージ表示装置１０３は、サイネージデータの表示に対応して、表示した内容を示す再生ログをサイネージサーバ１０２に送信する。このとき、再生ログとともに、サイネージ表示装置を識別できる情報である表示装置ＩＤを送信してもよい。
【００１７】
サイネージサーバ１０２は、サイネージ表示装置１０３から再生ログを受け取り、再生ログを基に、表示されているサイネージデータのうち編集可能な項目をサイネージデータ入力装置１０１に送信する。ここで、サイネージサーバ１０２とサイネージデータ入力装置１０１との通信はサイネージデータ入力装置１０１を識別可能にする端末ＩＤを送信することで通信を確立する。さらに、通信する際には、セキュアな通信方式を採用して、成りすまし等を防ぐようにしてもよい。
【００１８】
サイネージデータ入力装置１０１は、サイネージサーバ１０２から編集可能な項目を受け取る。受け取った編集可能な項目に従って、サイネージ表示装置１０３に表示されている内容を編集できるように、編集可能な項目を表示する。表示された項目に対して、編集を行った場合、編集した内容を、サイネージサーバ１０２に送信する。
【００１９】
サイネージサーバ１０２は、サイネージデータ入力装置１０１から編集した内容を受け取ると、受け取った編集した内容を、サイネージ表示装置１０３に送信する。
【００２０】
サイネージ表示装置１０３は、受け取った編集後のサイネージデータに従い、表示内容を更新する。このとき、更新されたことを示す更新ログをサイネージサーバ１０２へ送信する。
【００２１】
［１―２．サイネージデータの表示と編集］
図２は、サイネージ表示装置１０３がサイネージサーバ１０２から受け取ったサイネージデータを表示する一例を示す図である。具体的には、サイネージデータとして、飲食店である「満腹食堂」のメニューを示すコンテンツが表示される一例である。コンテンツは、ＤＳ２０１、ＤＳ２０２、ＤＳ２０３、ＤＳ２０４、ＤＳ２０５、ＤＳ２０６の順で表示される。ＤＳ２０１、ＤＳ２０２、ＤＳ２０３は、メニューの一つである「とんかつ定食」に対する表示である。ＤＳ２０１において、飲食店名を示す「満腹食堂」の店名２１０と「とんかつ定食」の写真２１１が、例えば、３秒表示される。ＤＳ２０２において、ＤＳ２０１の表示に加え、「とんかつ定食」のメニュー名２１２が追加され、例えば、３秒表示される。ＤＳ２０３において、ＤＳ２０２の表示に加え、価格を示す「７３５円」の価格２１３が追加され、例えば、３秒表示される。次のＤＳ２０４、ＤＳ２０５、ＤＳ２０６は、メニューの一つである「イカフライ定食」に対する表示である。「とんかつ定食」の表示であるＤＳ２０３から「イカフライ定食」の表示に切り替わる。ＤＳ２０４において、飲食店名を示す「満腹食堂」の店名２１０と「イカフライ定食」の写真２１４が、例えば、３秒表示される。ＤＳ２０５において、ＤＳ２０４の表示に加え、「イカフライ定食」のメニュー名２１５が追加され、例えば、３秒表示される。ＤＳ２０６において、ＤＳ２０５の表示に加え、価格を示す「６３０円」の価格２１６が追加され、例えば、３秒表示される。この後、「イカフライ定食」の表示であるＤＳ２０６から「とんかつ定食」の表示に戻る。ここで、一つのメニューは、写真、メニュー名、価格について、それぞれが独立に編集できるように構成されている。
【００２２】
図３Ａは、サイネージデータフォーマット３０１の一例を示す図であり、図３Ｂは、図２で説明したサイネージデータを図３Ａのサイネージデータフォーマット３０１で定義したサイネージデータ３０２の一例を示す図である。
【００２３】
サイネージデータフォーマット３０１は、サイネージのコンテンツを識別する「コンテンツ名」の記載が最初にある。その次に、コンテンツを構成する「画面名定義」と、画面を構成する「構成要素定義」と、「再生時間定義」で構成される。「構成要素定義」は、１つの画面を構成する構成要素を定義する。構成要素は複数個定義できる。編集可能な構成要素は、下線を付与することで識別可能にする。「再生時間定義」は、「構成要素定義」で定義した構成要素を用いて、再生順序と各構成要素の再生時間を定義する。
【００２４】
なお、「構成要素定義」で定義されおり、「再生時間定義」で定義されていない構成要素は、画面の再生中において常に表示するものとしてもよい。
【００２５】
なお、「再生時間定義」は再生順序と各構成要素の再生時間だけでなく、再生効果、例えば、画面切り替えの効果としてワイプやスクロール等の定義をしてもよい。
【００２６】
図３Ｂのサイネージデータ３０２において、コンテンツ名が「満腹食堂」のコンテンツを定義している。画面名として、「とんかつ定食」と「イカフライ定食」が定義されている。画面名「とんかつ定食」の定義において、構成要素定義として、「写真１０」、「テキスト１１」、「テキスト１２」、「テキスト０１」が定義されており、「写真１０」、「テキスト１１」、「テキスト１２」に下線が付与されているのでこれらの構成要素は編集可能に定義されている。ここで、「写真１０」は、図２における「とんかつ定食」の写真２１１が対応し、「テキスト１１」は、図２における「とんかつ定食」のメニュー名２１２が対応し、「テキスト１２」は、図２における「７３５円」の価格２１３が対応し、「テキスト０１」は、図２における「満腹食堂」の店名２１０が対応する。画面名「とんかつ定食」の定義において再生時間定義として、「写真１０」と「テキスト０１」を３秒表示し、その後、「テキスト１１」が追加され、３秒表示し、その後、「テキスト１２」が追加され、３秒表示し、１秒後に再生を終了するように定義されている。これらの定義により、図２における、ＤＳ２０１、ＤＳ２０２、ＤＳ２０３の表示を行う。
【００２７】
次に、画面名「イカフライ定食」の定義において、構成要素定義として、「写真２０」、「テキスト２１」、「テキスト２２」、「テキスト０１」が定義されており、「写真２０」、「テキスト２１」、「テキスト２２」に下線が付与されているのでこれらの構成要素は編集可能に定義されている。ここで、「写真２０」は、図２における「イカフライ定食」の写真２１４が対応し、「テキスト２１」は、図２における「イカフライ定食」のメニュー名２１５が対応し、「テキスト２２」は、図２における「６３０円」の価格２１６が対応し、「テキスト０１」は、図２における「満腹食堂」の店名２１０が対応する。画面名「イカフライ定食」の定義において再生時間定義として、「写真２０」と「テキスト０１」を３秒表示し、その後、「テキスト２１」が追加され、３秒表示し、その後、「テキスト２２」が追加され、３秒表示し、１秒後に再生を終了するように定義されている。これらの定義により、図２における、ＤＳ２０４、ＤＳ２０５、ＤＳ２０６の表示を行う。
【００２８】
図４は、図２のサイネージ表示装置１０３が表示するサイネージデータ３０２に対応して、サイネージデータ入力装置１０１の編集画面の表示の一例を示す図であり、図５は、図２のサイネージ表示装置１０３が表示するサイネージデータ３０２に対応して、サイネージデータ入力装置１０１に編集画面を表示後、編集を行った場合の一例を示す図である。
【００２９】
図４において、図の左側は図２のサイネージ表示装置１０３が表示するサイネージデータ３０２の一部であり、「満腹食堂」のメニューの一つである、「とんかつ定食」のコンテンツであるＤＳ２０１、ＤＳ２０２、ＤＳ２０３である。図の右側はサイネージデータ入力装置１０１の編集画面である。サイネージ表示装置１０３において、ＤＳ２０１が表示されると、表示している内容を再生ログとしてサイネージ表示装置１０３からサイネージサーバ１０２へ送信する。再生ログを受信したサイネージサーバ１０２は、ＤＳ２０１の編集可能な項目である「とんかつ定食」の写真２１１をサイネージデータ入力装置１０１に送信する。サイネージデータ入力装置１０１は、「とんかつ定食」の写真２１１を編集するための編集画面であるＥＤ２０１を表示する。ＥＤ２０１は写真の編集であるため、編集を開始するための「編集」ボタンと、サイネージデータ入力装置１０１に蓄積された写真を利用するための「選択」ボタンと、サイネージデータ入力装置１０１に備えられたカメラで撮影した写真を利用するための「カメラ」ボタンが用意される。
【００３０】
なお、写真の修正や写真に対する手書き文字・イラストなどの書き込みができるように構成してもよい。
【００３１】
次に、サイネージ表示装置１０３において、ＤＳ２０２が表示されると、表示している内容を再生ログとしてサイネージ表示装置１０３からサイネージサーバ１０２へ送信する。再生ログを受信したサイネージサーバ１０２は、ＤＳ２０２の編集可能な項目である「とんかつ定食」のメニュー名２１２をサイネージデータ入力装置１０１に送信する。サイネージデータ入力装置１０１は、「とんかつ定食」のメニュー名２１２を編集するための編集画面であるＥＤ２０２を表示する。ＥＤ２０２はテキストの編集であるため、テキストを入力する領域が用意され、編集を開始するための「編集」ボタンが用意される。テキストを入力する領域には、現在のテキストである、「とんかつ定食」、が表示されている。現在のテキストを一部修正することが可能である。
【００３２】
サイネージ表示装置１０３において、ＤＳ２０３が表示されると、表示している内容を再生ログとしてサイネージ表示装置１０３からサイネージサーバ１０２へ送信する。再生ログを受信したサイネージサーバ１０２は、ＤＳ２０３の編集可能な項目である「７３５円」の価格２１３をサイネージデータ入力装置１０１に送信する。サイネージデータ入力装置１０１は、「７３５円」の価格２１３を編集するための編集画面であるＥＤ２０３を表示する。ＥＤ２０３はテキストの編集であるので、テキストを入力する領域が用意され、編集を開始するための「編集」ボタンが用意される。
【００３３】
図５において、図の左側は図２のサイネージ表示装置１０３が表示するサイネージデータ３０２の一部である。図の右側はサイネージデータ入力装置１０１の編集画面である。サイネージ表示装置１０３において、ＤＳ２０３が表示されると、表示している内容を再生ログとしてサイネージ表示装置１０３からサイネージサーバ１０２へ送信される。再生ログを受信したサイネージサーバ１０２は、ＤＳ２０３の編集可能な項目である「７３５円」の価格２１３をサイネージデータ入力装置１０１に送信する。サイネージデータ入力装置１０１は、「７３５円」の価格２１３を編集するための編集画面であるＥＤ２０３を表示する。ＥＤ２０３はテキストの編集であるので、テキストを入力する領域が用意され、編集を開始するための「編集」ボタンが用意される。
【００３４】
利用者は、「７３５円」の価格２１３の更新をするために、ＥＤ２０３の「編集」ボタンを押す。「編集」ボタンが押されると、ＥＤ２０３Ａに表示画面が切り替わる。ＥＤ２０３と異なる点は、「編集」ボタンが「確定」ボタンと「戻る」ボタンに変更されている点である。テキストを入力する領域においてテキストの編集を行い、確定する場合は、「確定」ボタンを押し、キャンセルする場合は、「戻る」ボタンを押す。ＥＤ２０３Ａにおいて、「７３５円」が「６３０円」に編集されている。ＥＤ２０３で「編集」ボタンが押されると、サイネージデータ入力装置１０１からサイネージサーバ１０２に、「編集」ボタンが押されたことを通知し、ＥＤ２０３Ａで「確定」ボタンまたは「戻る」ボタンが押されたことを通知するまでは、サイネージサーバ１０２は、サイネージデータ入力装置１０１へ編集可能な項目の送信を停止する。
【００３５】
ＥＤ２０３Ａの編集画面が表示されている間も、サイネージ表示装置１０３の表示は継続している。ＥＤ２０３Ａにおいて、「確定」ボタンが押された時に、サイネージ表示装置１０３は、ＤＳ２０４が表示されているとする。サイネージサーバ１０２は、サイネージデータ入力装置１０１へ編集可能な項目の送信を再開するので、サイネージデータ入力装置１０１はＥＤ２０４を表示する。
【００３６】
なお、サイネージデータ入力装置１０１において、編集画面の編集中は、サイネージ表示装置１０３へ編集中であることを通知し、サイネージ表示装置１０３におけるサイネージの表示を停止してもよい。その際は、サイネージサーバ１０２から編集中であることをサイネージ表示装置１０３に通知する。
【００３７】
ＥＤ２０３Ａにおいて、「確定」ボタンが押されると、サイネージデータ入力装置１０１は、編集した内容をサイネージサーバ１０２に送信し、サイネージサーバ１０２は、サイネージ表示装置１０３へ編集した内容を通知する。通知を受けたサイネージ表示装置１０３は、ＤＳ２０３の更新画面であるＤＳ２０３Ａを表示する。「７３５円」の価格２１３が「６３０円」の価格２１３Ａに更新されている。サイネージ表示装置１０３は更新されたことを示す更新ログをサイネージサーバ１０２へ送信し、サイネージサーバ１０２は、更新内容と更新時刻をサイネージデータ入力装置１０１に送信する。サイネージデータ入力装置１０１は、更新内容と更新時刻を提示する編集画面であるＥＤ５０３を表示する。
【００３８】
［１―３．サイネージサーバの構成］
次にサイネージサーバ１０２の構成について説明する。図６は、サイネージサーバ１０２の機能ブロック図である。サイネージサーバ１０２は、ログ受信部６０１と解析部６０２と項目送信部６０３と編集指示受信部６０４と更新部６０５とデータ送信部６０６とサイネージデータＤＢ６０７で構成される。
【００３９】
ログ受信部６０１、項目送信部６０３、編集指示受信部６０４、データ送信部６０６は、例えば、無線或いは有線の通信装置と、所定の処理を実行するプロセッサにより実現される。解析部６０２及び、更新部６０５は、所定の処理を実行するプロセッサにより実現される。これらの機能は、１つのプロセッサで実現してもよいし、複数のプロセッサで分担して実現してもよい。サイネージデータＤＢ６０７は、例えば、光学的読み取り式或いは磁気的読み取り式による記録媒体により実現される。
【００４０】
データ送信部６０６は、サイネージデータの表示開始の指示を受け、サイネージデータＤＢ６０７から該当するサイネージデータ３０２を抽出し、サイネージ表示装置１０３へ送信する。
【００４１】
なお、サイネージデータ３０２は、あらかじめサイネージ表示装置１０３が保持していてもよく、表示開始の指示と同時に送信しなくてもよい。
【００４２】
図７は、サイネージサーバ１０２のログの送受信の動作を示すフローチャートである。
【００４３】
ログ受信部６０１は、サイネージ表示装置１０３から送信される再生ログまたは更新ログを受信し、解析部６０２へ送る。図７で説明する動作は、サイネージ表示装置１０３から送信される再生ログまたは更新ログを受信している間は動作し続ける。
【００４４】
図８Ａは、再生ログのフォーマットを示す図であり、図８Ｂは、更新ログのフォーマットを示す図であり、図８Ｃは、図８Ａのフォーマットで定義した、ＤＳ２０１の表示に対する再生ログを示す図であり、図８Ｄは、図８Ａのフォーマットで定義した、ＤＳ２０２の表示に対する再生ログを示す図であり、図８Ｅは、図８Ａのフォーマットで定義した、ＤＳ２０３の表示に対する再生ログを示す図であり、図８Ｆは、図８Ａのフォーマットで定義した、ＤＳ２０４の表示に対する再生ログを示す図であり、図８Ｇは、図８Ｂのフォーマットで定義した、ＤＳ２０３Ａの表示に対する更新ログを示す図である。
【００４５】
図８Ａの再生ログのフォーマットは、再生ログであることを表す「再生ログ」という記述と、表示しているサイネージデータ３０２の「コンテンツ名」、「画面名定義」、「構成要素定義」、「再生時刻」で定義される。図８Ｂの更新ログのフォーマットは、更新ログであることを表す「更新ログ」という記述と、更新されて表示しているサイネージデータ３０２の「コンテンツ名」、「画面名定義」、「構成要素定義」、「更新時刻」で定義される。「構成要素定義」は、複数個の記述が可能である。ここで、「コンテンツ名」、「画面名定義」、「構成要素定義」はそれぞれ、サイネージデータフォーマット３０１の「コンテンツ名」、「画面名定義」、「構成要素定義」に対応している。
図８Ｃの再生ログは、ＤＳ２０１の表示に対する再生ログであり、「再生ログ」の記述の後、「満腹食堂」、「とんかつ定食」、「（写真１０、テキスト０１）」、「１２：００：００」と記述されている。図８Ｄの再生ログは、ＤＳ２０２の表示に対する再生ログであり、「再生ログ」の記述の後、「満腹食堂」、「とんかつ定食」、「テキスト１１」、「１２：００：０３」と記述されている。図８Ｅの再生ログは、ＤＳ２０３の表示に対する再生ログであり、「再生ログ」の記述の後、「満腹食堂」、「とんかつ定食」、「テキスト１２」、「１２：００：０６」と記述されている。図８Ｆの再生ログは、ＤＳ２０４の表示に対する再生ログであり、「再生ログ」の記述の後、「満腹食堂」、「イカフライ定食」、「（写真２０、テキスト０１）」、「１２：００：０７」と記述されている。図８Ｇの更新ログは、ＤＳ２０３Ａの表示に対する更新ログであり、「更新ログ」の記述の後、「満腹食堂」、「とんかつ定食」、「テキスト１２」、「１２：００：０８」と記述されている。
【００４６】
（Ｓ７０１）解析部６０２は、受け取ったログが、再生ログか更新ログかを判定する。受け取ったログが再生ログの場合（「再生」の場合）、Ｓ７０２へ進む。受け取ったログが更新ログの場合（「更新」の場合）、Ｓ７０４へ進む。
【００４７】
（Ｓ７０２）解析部６０２は、再生ログに含まれる、「コンテンツ名」、「画面名定義」、「構成要素定義」と、サイネージデータＤＢ６０７に記憶されている該当するサイネージデータ３０２から、編集可能な項目を決定する。例えば、再生ログが図８Ｃの場合、サイネージデータ３０２と比較すると、「写真１０」は編集可能な項目である。再生ログが図８Ｄの場合、「テキスト１１」は編集可能な項目であり、再生ログが図８Ｅの場合、「テキスト１２」は編集可能な項目であり、再生ログが図８Ｆの場合、「写真２０」は編集可能な項目である。
【００４８】
ここで、図９Ａは、編集可能な項目のフォーマットを示す図であり、図９Ｂは、図９Ａのフォーマットで定義した、ＤＳ２０１の表示に対する編集可能な項目を示す図であり、図９Ｃは、図９Ａのフォーマットで定義した、ＤＳ２０２の表示に対する編集可能な項目を示す図であり、図９Ｄは、図９Ａのフォーマットで定義した、ＤＳ２０３の表示に対する編集可能な項目を示す図であり、図９Ｅは、図９Ａのフォーマットで定義した、ＤＳ２０４の表示に対する編集可能な項目を示す図である。図９Ａの編集可能な項目のフォーマットは、再生ログを受信して編集可能な項目を決定したことを示す「再生ログ」という記述と、編集可能な項目を示す、「コンテンツ名」、「画面名」、「編集箇所名」で定義される。「編集箇所名」は、複数個の記述が可能である。ここで、「コンテンツ名」、「画面名」、「編集箇所名」はそれぞれ、サイネージデータフォーマット３０１の「コンテンツ名」、「画面名定義」、「構成要素定義」に対応している。図９Ｂの編集可能な項目は、ＤＳ２０１の表示に対する編集可能な項目であり、「再生ログ」の記述の後、「満腹食堂」、「とんかつ定食」、「写真１０」と記述されている。図９Ｃの編集可能な項目は、ＤＳ２０２の表示に対する編集可能な項目であり、「再生ログ」の記述の後、「満腹食堂」、「とんかつ定食」、「テキスト１１」と記述されている。図９Ｄの編集可能な項目は、ＤＳ２０３の表示に対する編集可能な項目であり、「再生ログ」の記述の後、「満腹食堂」、「とんかつ定食」、「テキスト１２」、「１２：００：０６」と記述されている。図９Ｅの編集可能な項目は、ＤＳ２０４の表示に対する編集可能な項目であり、「再生ログ」の記述の後、「満腹食堂」、「イカフライ定食」、「写真２０」と記述されている。
【００４９】
なお、サイネージ表示装置１０３に表示されているサイネージデータ３０２に同期させるように編集可能な項目を決定してもよい。具体的には、再生ログに含まれる再生時刻（Ｔ１）と現在時刻（Ｔ２）の差分を算出（Ｔ３）し、再生時刻（Ｔ１）から差分（Ｔ３）を加えた時刻に表示されるサイネージデータを特定し、編集可能な項目を決定する。例えば、図８Ｃの再生ログを受信した現在時刻が「１２：００：０３」であった場合、図８Ｃの再生ログの再生時刻は「１２：００：００」であるので、Ｔ３は３秒であるので、「１２：００：０３」の時刻に再生されるのはＤＳ２０２であるから、ＤＳ２０２の表示に対する編集可能な項目は、図９Ｃの編集可能な項目である。
【００５０】
なお、現在時刻はサイネージサーバ１０２が保持している時計機能から決定してもよいし、例えば、ＮＴＰ（Ｎｅｔｗｏｒｋ  ｔｉｍｅ  ｐｒｏｔｏｃｏｌ）サーバから取得してもよい。
【００５１】
（Ｓ７０３）項目送信部６０３は、解析部６０２で決定した編集可能な項目をサイネージデータ入力装置１０１へ送信する。
【００５２】
（Ｓ７０４）解析部６０２は、更新ログに含まれる、「コンテンツ名」、「画面名定義」、「構成要素定義」と、サイネージデータＤＢ６０７に記憶されている該当するサイネージデータ３０２から、編集可能な項目を決定し、更新内容とする。例えば、更新ログが図８Ｇの場合、サイネージデータ３０２と比較すると、「テキスト１２」は編集可能な項目である。
【００５３】
ここで、図９Ｆは、更新内容のフォーマットを示す図であり、図９Ｇは、図９Ｆのフォーマットで定義した、ＤＳ２０３Ａの表示に対する更新内容を示す図である。図９Ｆの更新内容のフォーマットは、更新ログを受信して編集可能な項目を決定したことを示す「更新ログ」という記述と、編集可能な項目を示す、「コンテンツ名」、「画面名」、「編集箇所名」、「更新時刻」で定義される。「編集箇所名」は、複数個の記述が可能である。ここで、「コンテンツ名」、「画面名」、「編集箇所名」はそれぞれ、サイネージデータフォーマット３０１の「コンテンツ名」、「画面名定義」、「構成要素定義」に対応し、「更新時刻」は、更新ログのフォーマットの「更新時刻」に対応している。図９Ｇの更新内容は、ＤＳ２０３Ａの表示に対する更新内容であり、「更新ログ」の記述の後、「満腹食堂」、「とんかつ定食」、「テキスト１２」、「１２：００：０８」と記述されている。
【００５４】
（Ｓ７０５）解析部６０２は、更新内容を項目送信部６０３へ送る。項目送信部６０３は、更新内容をサイネージデータ入力装置１０１へ送信する。
【００５５】
図１０は、サイネージサーバ１０２の編集指示の動作を示すフローチャートである。編集指示受信部６０４は、サイネージデータ入力装置１０１から編集指示を受信し、更新部６０５へ送る。図１０で説明する動作は、サイネージデータ入力装置１０１から送信される編集指示を受信している間は動作し続ける。
【００５６】
（Ｓ１００１）更新部６０５は、編集指示を受け取り、編集すべき内容を抽出する。
【００５７】
ここで、図１１Ａは、編集指示のフォーマットを示す図であり、図１１Ｂは、図１１Ａのフォーマットで定義した、ＥＤ２０３Ａの編集画面に対応する編集指示を示す図である。図１１Ａの編集指示のフォーマットは、編集指示であることを示す「編集指示」という記述と、編集指示の対象となる「コンテンツ名」、「画面名定義」、「構成要素定義」、「指示内容」で定義される。「構成要素定義」、「指示内容」は、複数個の記述が可能である。ここで、「コンテンツ名」、「画面名定義」、「構成要素定義」はそれぞれ、サイネージデータフォーマット３０１の「コンテンツ名」、「画面名定義」、「構成要素定義」に対応している。「指示内容」は、「構成要素定義」に対する編集指示の具体的な内容である。
図１１Ｂは、ＥＤ２０３Ａの編集画面に対応する編集指示であり、「編集指示」の記述の後、「満腹食堂」、「とんかつ定食」、「テキスト１２」、「６３０円」と記述されている。ここで、「テキスト１２」は、「７３５円」から「６３０円」に編集されている。
【００５８】
図１１Ｂの編集指示において、「テキスト１２」を「６３０円」に編集する指示がなされている。
【００５９】
（Ｓ１００２）更新部６０５は、編集指示の内容をサイネージデータＤＢ６０７の該当するサイネージデータ３０２に対して編集して更新すると共に編集指示の内容をデータ送信部６０６に送る。
【００６０】
（Ｓ１００３）データ送信部６０６は、編集指示をサイネージ表示装置１０３に送付する。
【００６１】
［１―４．サイネージデータ入力装置の構成］
図１２は、サイネージデータ入力装置１０１の機能ブロック図である。図１３は、サイネージデータ入力装置１０１の動作を示すフローチャートである。
【００６２】
サイネージデータ入力装置１０１は、項目受信部１２０１と編集部１２０２と写真ＤＢ１２０３と撮影部１２０４と変更送信部１２０５で構成される。
【００６３】
項目受信部１２０１、編集部１２０２、変更送信部１２０５は、例えば、無線或いは有線の通信装置と、所定の処理を実行するプロセッサにより実現される。これらの機能は、１つのプロセッサで実現してもよいし、複数のプロセッサで分担して実現してもよい。写真ＤＢ１２０３は、例えば、光学的読み取り式或いは磁気的読み取り式による記録媒体により実現される。撮影部１２０４は、例えば、フォーカスレンズ等の光学系と、イメージセンサを備えた撮像装置により実現される。
【００６４】
項目受信部１２０１は、サイネージサーバ１０２から送信される編集可能な項目または更新内容を受信し、編集部１２０２へ送る。図１３で説明する動作は、サイネージサーバ１０２から送信される編集可能な項目または更新内容を受信している間は動作し続ける。
【００６５】
（Ｓ１３０１）編集部１２０２は、項目受信部１２０１から受け取ったデータが、編集可能な項目か更新内容かを判定する。編集可能な項目を受け取った場合、Ｓ１３０２へ進み、更新内容を受け取った場合、Ｓ１３０３へ進む。
【００６６】
（Ｓ１３０２）編集部１２０２は、編集可能な項目に対する編集画面を表示する。例えば、編集可能な項目が図９Ｄの場合、編集画面は、ＥＤ２０３を表示する。ＥＤ２０３は、「７３５円」の価格２１３を編集するための編集画面であり、テキストを入力する領域と、編集を開始するための「編集」ボタンが用意される。また、編集可能な項目が、図９Ｂの場合、編集画面は、ＥＤ２０１を表示する。ＥＤ２０１は写真の編集であり、編集を開始するための「編集」ボタンと写真ＤＢ１２０３に蓄積された写真データを利用するための「選択」ボタンと、撮影部１２０４で撮影する写真データを利用するための「カメラ」ボタンが用意される。
【００６７】
（Ｓ１３０３）編集部１２０２は、更新内容に対する編集画面を表示する。例えば、更新内容が図９Ｇの場合、編集画面は、ＥＤ５０３を表示する。ＥＤ５０３は、「７３５円」の価格２１３が編集され、「６３０円」の価格２１３Ａに更新されていることを示しつつ、さらに「６３０円」の価格２１３Ａを編集するための編集画面であり、テキストを入力する領域と、編集を開始するための「編集」ボタンが用意される。
【００６８】
（Ｓ１３０４）編集部１２０２は、任意の編集画面が表示されている間に、利用者によって「編集」ボタンが押されるか否かを判定する。「編集」ボタンが押された場合（Ｙｅｓの場合）、Ｓ１３０５に進む。「編集」ボタンが押されなかった場合（Ｎｏの場合）、Ｓ１３０１に戻る。
【００６９】
（Ｓ１３０５）利用者は、編集可能な項目がテキストの場合、編集する場合は、テキストを入力する領域のテキストを編集する。利用者は、編集可能な項目が写真の場合、写真ＤＢ１２０３に記録されている写真データを用いて編集する場合は、「写真」ボタンを押し、写真ＤＢ１２０３に記録されている写真データから、利用したい写真データを選択する。また、利用者は、カメラ機能を用いて撮影した写真データを用いて編集する場合は、「カメラ」ボタンを押す。撮影部１２０４は、カメラ機能であり、撮影した写真データを写真ＤＢ１２０３へ記録してもよい。利用者は、編集が終了すれば、編集画面の「確定」ボタンを押し、編集をキャンセルする場合は、編集画面の「戻る」ボタンを押す。編集の一例として、例えば、ＥＤ２０３の「編集」ボタンを押されると、ＥＤ２０３Ａに表示画面が切り替わる。利用者は、ＥＤ２０３Ａのテキストを入力する領域において、テキストの編集を行い、確定する場合は、「確定」ボタンを押し、キャンセルする場合は、「戻る」ボタンを押す。ＥＤ２０３Ａにおいて、「７３５円」が「６３０円」に編集されている。
【００７０】
編集部１２０２は、編集画面の「確定」ボタンまたは「戻る」ボタンが押されるか否かを判定する。「確定」ボタンが押されたと判定した場合、Ｓ１３０６へ進み、「戻る」ボタンが押されたと判定した場合、Ｓ１３０１へ戻る。
【００７１】
（Ｓ１３０６）編集部１２０２は、編集内容を変更送信部１２０５へ送る。変更送信部１２０５は、編集部１２０２から受け取った編集内容を編集指示としてサイネージサーバ１０２へ送信する。ＥＤ２０３Ａの編集画面の編集内容に対し、図１１Ｂの編集指示をサイネージサーバ１０２へ送信する。
【００７２】
［１―５．サイネージ表示装置の構成］
図１４は、サイネージ表示装置１０３の機能ブロック図である。図１５は、サイネージ表示装置１０３の動作を示すフローチャートである。
【００７３】
サイネージ表示装置１０３は、データ受信部１４０１と更新部１４０２とサイネージデータＤＢ１４０３と表示部１４０４とログ生成部１４０５とログ送信部１４０６で構成される。
【００７４】
データ受信部１４０１、ログ送信部１４０６は、例えば、無線或いは有線の通信装置と、所定の処理を実行するプロセッサにより実現される。更新部１４０２、ログ生成部１４０５は、所定の処理を実行するプロセッサにより実現される。表示部１４０４は、例えば、液晶ディスプレイのような表示装置と、所定の処理を実行するプロセッサとにより実現される。これら機能は、１つのプロセッサで実現してもよいし、複数のプロセッサで分担して実現してもよい。サイネージデータＤＢ１４０３は、例えば、光学的読み取り式或いは磁気的読み取り式による記録媒体により実現される。
【００７５】
図１５で説明する動作は、サイネージサーバ１０２から送信されるサイネージデータの表示終了の指示を受けるまで動作し続ける。
【００７６】
（Ｓ１５０１）データ受信部１４０１は、サイネージサーバ１０２から、サイネージデータの表示開始の指示を受ける。
【００７７】
（Ｓ１５０２）データ受信部１４０１は、サイネージサーバ１０２からサイネージデータ３０２の編集指示を受け取ると、編集指示を更新部１４０２へ送り（Ｙｅｓの場合）、Ｓ１５０３へ進む。編集指示を受けていない場合（Ｎｏの場合）は、Ｓ１５０４へ進む。
【００７８】
（Ｓ１５０３）更新部１４０２は、編集指示を受け取ると、サイネージデータＤＢ１４０３に記録されている該当するサイネージデータ３０２を編集して更新する。
【００７９】
（Ｓ１５０４）更新部１４０２は、サイネージデータの表示開始の指示と同時にサイネージデータ３０２を受け取った場合は、サイネージデータ３０２を更新部１４０２へ送り、サイネージデータ３０２をサイネージデータＤＢ１４０３に記録する。また、サイネージデータ３０２の受け取りを、サイネージデータの表示開始の指示とは別に受け取った場合、データ受信部１４０１は、サイネージサーバ１０２から送信されるサイネージデータを受信し、更新部１４０２へ送り、サイネージデータ３０２をサイネージデータＤＢ１４０３に記録する。
【００８０】
更新部１４０２は、表示開始の指示を表示部１４０４へ送る。表示部１４０４は、表示開始の指示を受けた場合、サイネージデータＤＢ１４０３に記録されているサイネージデータ３０２の表示を開始し、表示開始の指示を既に受けている場合は、継続して表示を行う。編集指示があった場合は、更新内容が表示される。表示の一例として、例えば、図２の一例のように、ＤＳ２０１、ＤＳ２０２、ＤＳ２０３、ＤＳ２０４、ＤＳ２０５、ＤＳ２０６の順で表示される。編集指示のあった場合の表示の一例として、例えば、図５のＤＳ２０３Ａのように表示される。
【００８１】
（Ｓ１５０５）ログ生成部１４０５は、表示部１４０４の表示に対応させて、サイネージサーバ１０２へ送信する再生ログまたは更新ログを生成し、ログ送信部１４０６へ送る。再生ログの一例として、図８Ｃ，図８Ｄ、図８Ｅ、図８Ｆが、更新ログの一例として、図８Ｇのようなログを生成する。
【００８２】
（Ｓ１５０６）ログ送信部１４０６は、再生ログまたは更新ログをサイネージサーバ１０２へ送信する。
【００８３】
（Ｓ１５０７）データ受信部１４０１は、サイネージサーバ１０２から、サイネージデータの表示終了の指示を受けた場合（Ｙｅｓの場合）、処理を終了し、サイネージデータの表示終了の指示がない場合（Ｎｏの場合）、Ｓ１５０２へ戻り、処理を継続する。
【００８４】
［１―３．効果］
以上のように、本開示のサイネージデータ入力装置は、サイネージ表示装置に表示されているサイネージデータに連動して編集を行うサイネージデータ入力装置であって、サイネージ表示装置に表示されているサイネージデータのうち、編集可能な項目を受信する項目受信部と、編集可能な項目を編集するための編集画面を表示し、編集内容を受け付ける編集部と、編集内容を編集指示として送信する変更送信部と、を備える。また、本開示のサーバは、サイネージ表示装置のサイネージデータの表示とサイネージデータ入力装置のサイネージ表示装置に表示されているサイネージデータの編集とを制御するサーバであって、サイネージ表示装置に表示されているサイネージデータの表示結果をログとして受信するログ受信部と、ログから、編集可能な項目を抽出する解析部と、編集可能な項目をサイネージデータ入力装置へ送信する項目送信部と、サイネージデータ入力装置からサイネージ表示装置に表示されているサイネージデータに対して編集指示を受信する編集指示受信部と、編集指示に基づいて、サイネージ表示装置に表示されているサイネージデータに対して編集を行う更新部と、編集指示をサイネージ表示装置に送信するデータ送信部と、を備える。
【００８５】
これによって、サイネージ表示装置の表示内容に連動させて、編集画面を表示し、表示内容を簡単に変更することができる。
【００８６】
また、本開示のデータ入力装置は、編集可能な項目は、サイネージ表示装置に表示されているサイネージデータが編集後のサイネージデータである場合は、更新時刻を含み、編集部は、編集画面を表示する際に、更新時刻を表示する。
【００８７】
これによって、サイネージ表示装置の表示されている内容が変更されたことをサイネージデータ入力装置でもって知ることができる。
【００８８】
また、本開示のデータ入力装置は、項目受信部で受信する編集可能な項目は、サイネージ表示装置に表示された時刻を含み、編集部は、現在時刻と編集可能な項目の時刻の差分を計算し、編集画面に表示する編集可能な項目を特定する。
【００８９】
これによって、サイネージ表示装置に表示されているサイネージデータに同期させるように編集可能な項目を決定することができる。
【００９０】
また、本開示のサーバは、編集指示受信部は、サイネージデータ入力装置から、サイネージ表示装置に表示されているサイネージデータに対して編集中であることを受信した場合、更新部は、サイネージ表示装置に対して、表示しているサイネージデータの表示を一時停止するように、データ送信部を制御する。
【００９１】
これによって、サイネージデータ入力装置の編集画面とサイネージ表示装置の表示内容が同じ表示内容になるので、サイネージ表示装置の表示内容を見ながら編集ができることとなり、表示装置の表示内容をより簡単に変更することができる。
【００９２】
（他の実施の形態）
以上のように、本開示のデータ入力システムについて、実施の形態で説明した。ここでは、上述した実施の形態の変形例について説明する。
［２―１．更新内容の表示］
図５を用いて、サイネージデータ入力装置１０１において編集を行った場合の一例を説明したが、別の表示を行ってもよい。図１６は、サイネージデータ入力装置１０１の編集画面を用いて編集を行う場合の別の一例を示す図である。図５で説明したように、利用者は、「７３５円」の価格２１３の更新をするために、ＥＤ２０３の「編集」ボタンを押す。「編集」ボタンが押されると、ＥＤ２０３Ａに表示画面が切り替わる。ＥＤ２０３Ａにおいて、「７３５円」を「６３０円」に編集する。ＥＤ２０３Ａにおいて、「確定」ボタンが押されると、サイネージデータ入力装置１０１は、編集した内容をサイネージサーバ１０２に送信し、サイネージサーバ１０２は、サイネージ表示装置１０３へ編集した内容を通知する。
【００９３】
通知を受けたサイネージ表示装置１０３は、ＤＳ２０３の更新画面であるＤＳ２０３Ａを表示する。「７３５円」の価格２１３が「６３０円」の価格２１３Ａに更新されている。サイネージ表示装置１０３は更新されたことを示す再生ログをサイネージサーバ１０２へ送信し、サイネージサーバ１０２は、更新内容と更新時刻をサイネージデータ入力装置１０１に送信する。
【００９４】
サイネージデータ入力装置１０１は、更新内容と更新時刻を提示する編集画面である図１６のＥＤ１６０１を表示する。ＥＤ１６０１は、画面上に、サイネージ表示装置１０３で表示されたＤＳ２０３Ａをそのまま表示している。このような表示によって、更新結果について、サイネージ表示装置１０３の表示結果を実際に目視しなくても、サイネージデータ入力装置１０１上で確認することができる。ＥＤ１６０１にて、「編集」ボタンが押されると、更新箇所について再度編集できる。
［２―２．編集画面の表示］
上述した実施の形態においては、サイネージデータの編集は、サイネージ表示装置１０３に表示されるサイネージデータと連動させて、サイネージデータ入力装置１０１を用いて編集したが、これに限らない。
【００９５】
図１７は、サイネージデータ入力装置１０１の編集画面を用いて編集を行う場合のさらに別の一例を示す図である。
サイネージデータ入力装置１０１は、サイネージ表示装置１０３のサイネージデータの表示に連動させて編集画面を表示させるのではなく、サイネージサーバ１０２のサイネージデータＤＢ６０７に記録されているサイネージデータ３０２を直接解読してサイネージ表示装置１０３とは独立に編集画面を表示する。具体的には、サイネージデータ３０２に定義されている編集可能な項目を先頭から順番に切替えていく。例えば、ＥＤ１７０１、ＥＤ１７０２、ＥＤ１７０３の順で切り替える。ＥＤ１７０１は、「とんかつ定食」の写真２１１を編集するための編集画面である。ＥＤ１７０２は、「とんかつ定食」のメニュー名２１２を編集するための編集画面である。ＥＤ１７０３は、「７３５円」の価格２１３を編集するための編集画面である。図４で説明した、ＥＤ２０１、ＥＤ２０２、ＥＤ２０３とは、「次へ」ボタンが用意されている点でそれぞれ異なる。切替えの際は、サイネージデータ３０２で定義されている表示時間を基に切替えてもよいし、「次へ」ボタンを押すことで、切替えてもよい。
【００９６】
サイネージデータ入力装置１０１の編集画面の表示に連動させて、サイネージ表示装置１０３の表示を切替えてもよい。具体的には、サイネージデータ入力装置１０１にＥＤ１７０１が表示されている間は、ＤＳ１７０１を表示し、ＥＤ１７０２に切替えられたら、ＤＳ１７０２を表示し、ＥＤ１７０３に切替えられたら、ＤＳ１７０３を表示する。この場合、サイネージデータ入力装置１０１から再生ログがサイネージサーバ１０２に送信され、サイネージサーバ１０２が受信した再生ログをサイネージ表示装置１０３へ送信することで、画面の切替えを連動させることができる。
［２―３．編集可能な項目が複数の場合］
上述した実施の形態において、サイネージデータ入力装置１０１の編集画面は、１つの編集可能な項目について編集するものとして説明したが、これに限らず複数であってもよい。さらに、編集可能な項目として写真やテキストを用いて説明したが、これに限らない。図１８は、サイネージデータをサイネージ表示装置１０３が表示する別の一例を示す図であり、図１９は、サイネージデータ入力装置１０１の編集画面において編集可能な項目が複数の場合の一例を示す図である。図２０Ａは、図３Ａのサイネージデータのフォーマットで定義したサイネージデータの別の一例を示す図であり、図２０Ｂは、図８Ａの再生ログのフォーマットで定義した、後述するＤＳ１８０１に対する再生ログを示す図であり、図２０Ｃは、図９Ａのフォーマットで定義した、後述するＤＳ１８０１の表示に対する編集可能な項目を示す図であり、図２０Ｄは、図１１Ａのフォーマットで定義した、後述するＥＤ１８０１Ｂの編集画面に対応する編集指示を示す図であり、図２０Ｅは、図８Ｂのフォーマットで定義した、後述するＤＳ１８０１Ａの表示に対する更新ログを示す図であり、図２０Ｆは、図９Ｆのフォーマットで定義した、ＤＳ１８０１Ａの表示に対する更新内容を示す図である。
【００９７】
図２０Ａのサイネージデータ３０３においては、コンテンツ名が「満腹食堂」のコンテンツを定義している。画面名として、「とんかつ定食」が定義されている。画面名が「とんかつ定食」の定義において、構成要素定義として、「写真１０」、「テキスト１１」、「テキスト１２」、「テキスト０１」、「効果音１３」が定義されており、「写真１０」、「テキスト１１」、「テキスト１２」、「効果音１３」に下線が付与されているのでこれらの構成要素は編集可能に定義されている。ここで、「写真１０」は、「とんかつ定食」の写真２１１が対応し、「テキスト１１」は、「とんかつ定食」のメニュー名２１２が対応し、「テキスト１２」は、「７３５円」の価格２１３が対応し、「テキスト０１」は、「満腹食堂」の店名２１０が対応し、「効果音１３」は、効果音１８１０が対応する。画面名が「とんかつ定食」の定義において再生時間定義として、「写真１０」と「テキスト０１」を３秒表示し、「効果音１３」は３秒再生される。その後、「テキスト１１」が追加され、３秒表示し、その後、「テキスト１２」が追加され、３秒表示し、１秒後に再生を終了するように定義されている。これらの定義により、図１８に示すように、ＤＳ１８０１、ＤＳ１８０２、ＤＳ１８０３の表示を行う。図２０Ｂの再生ログは、ＤＳ１８０１に対する再生ログであり、「再生ログ」の記述の後、「満腹食堂」、「とんかつ定食」、「（写真１０、テキスト１、効果音１３）」、「１２：００：００」と記述されている。図２０Ｂの再生ログにおいて、「写真１０」と「効果音１３」は編集可能な項目である。図２０Ｃの編集可能な項目は、ＤＳ１８０１の表示に対する編集可能な項目であり、「再生ログ」の記述の後、「満腹食堂」、「とんかつ定食」、「（写真１０、効果音１３）」と記述されている。
【００９８】
図１９に示すように、サイネージ表示装置１０３において、ＤＳ１８０１が表示されると、表示している内容を再生ログとしてサイネージ表示装置１０３からサイネージサーバ１０２へ送信される。図２０Ｂの再生ログを受信したサイネージサーバ１０２は、ＤＳ１８０１の編集可能な項目である「とんかつ定食」の写真２１１と効果音１８１０をサイネージデータ入力装置１０１に送信する。サイネージデータ入力装置１０１は、「とんかつ定食」の写真２１１と効果音１８１０を個別に編集するための編集画面であるＥＤ１８０１を表示する。ＥＤ１８０１の上段は写真の編集であるので、編集を開始するための「編集」ボタンと、サイネージデータ入力装置１０１に蓄積された写真を利用するための「選択」ボタンと、サイネージデータ入力装置１０１に備えられたカメラで撮影した写真を利用するための「カメラ」ボタンが用意される。ＥＤ１８０１の下段は音の編集であるので、編集を開始するための「編集」ボタンと、サイネージデータ入力装置１０１に蓄積された音を利用するための「選択」ボタンと、サイネージデータ入力装置１０１に備えられたマイクで録音した音を利用するための「マイク」ボタンが用意される。
【００９９】
利用者は、「とんかつ定食」の写真２１１の更新をするために、ＥＤ１８０１の上段の「編集」ボタンを押す。「編集」ボタンが押されると、ＥＤ１８０１Ａに表示画面が切り替わる。ＥＤ１８０１と異なる点は、「編集」ボタンが「確定」ボタンと「戻る」ボタンに変更されている点である。写真の編集を行い、確定する場合は、「確定」ボタンを押し、キャンセルする場合は、「戻る」ボタンを押す。ＥＤ１８０１Ａにおいて、「とんかつ定食」の写真が別の写真に編集されている。次に、「とんかつ定食」の効果音１８１０の更新をするためにＥＤ１８０１の下段の「編集」ボタンを押す。「編集」ボタンが押されると、ＥＤ１８０１Ｂに表示画面が切り替わる。ＥＤ１８０１Ａと異なる点は、「編集」ボタンが「確定」ボタンと「戻る」ボタンに変更されている点である。効果音の編集を行い、確定する場合は、「確定」ボタンを押し、キャンセルする場合は、「戻る」ボタンを押す。ＥＤ１８０１Ｂにおいて、「とんかつ定食」の効果音が別の効果音に編集されている。
【０１００】
ＥＤ１８０１Ｂにおいて、「確定」ボタンが押されると、サイネージデータ入力装置１０１は、編集した内容をサイネージサーバ１０２に送信し、サイネージサーバ１０２は、サイネージ表示装置１０３へ編集した内容を通知する。図２０Ｄの編集指示は、ＥＤ１８０１Ｂの編集画面に対応する編集指示であり、「編集指示」の記述の後、「満腹食堂」、「とんかつ定食」、「（写真１０、効果音１３）」、「（写真２１１Ａ、効果音１８１０Ａ）」と記述されている。ここで、「（写真１０、効果音１３）」は、写真２１１から写真２１１Ａに、効果音１８１０から効果音１８１０Ａに編集されている。
【０１０１】
通知を受けたサイネージ表示装置１０３は、ＤＳ１８０１の更新画面であるＤＳ１８０１Ａを表示する。「とんかつ定食」の写真２１１が写真２１１Ａに、効果音１８１０が効果音１８１０Ａに更新されている。サイネージ表示装置１０３は更新されたことを示す更新ログをサイネージサーバ１０２へ送信し、サイネージサーバ１０２は、更新内容と更新時刻をサイネージデータ入力装置１０１に送信する。図２０Ｅの更新ログは、ＤＳ１８０１Ａの表示に対する更新ログであり、「更新ログ」の記述の後、「満腹食堂」、「とんかつ定食」、「（写真１０、効果音１３）」、「１２：００：０８」と記述されている。
【０１０２】
サイネージデータ入力装置１０１は、更新内容に対する編集画面を表示する。図２０Ｆの更新内容は、ＤＳ１８０１Ａの表示に対する更新内容であり、「更新ログ」の記述の後、「満腹食堂」、「とんかつ定食」、「（写真１０、効果音１３）」、「１２：００：０８」と記述されている。更新内容が図２０Ｆの場合、編集画面は、ＥＤ１８０２を表示する。ＥＤ１８０２は、「とんかつ定食」の写真２１１が編集され、写真２１１Ａに更新され、効果音１８１０が効果音１８１０Ａに更新されていることを示しつつ、さらに写真２１１Ａと効果音１８１０Ａを編集するための編集画面となっている。編集可能な項目が複数であっても、サイネージ表示装置の表示内容に連動させて、表示内容を簡単に変更することができる。
【０１０３】
なお、編集可能な項目が複数の場合、その組み合わせは、写真と効果音のみに限らず、複数の写真でもいいし、写真とテキスト、テキストと効果音等、組み合わせは限定されない。
【０１０４】
なお、編集可能な項目が複数の場合、１つの編集画面に２つの項目を表示したが、これに限らず、個別に表示してもよい。
【０１０５】
なお、編集可能な項目が複数の場合、複数の項目全ての編集が確定した後、編集指示をしたが、これに限らず、１つの項目の編集が確定する毎に編集指示をしてもよい。
［２―４．補足］
本開示のデータ入力システムについて、説明したが、以下のような変形も可能である。
【０１０６】
（１）サイネージサーバ１０２の構成要素の一部、もしくは、全部をサイネージデータ入力装置１０１に設けてもよい。
【０１０７】
（２）更新するサイネージデータは、画像、テキスト、効果音に限らず、例えば、動画でもよい。
【産業上の利用可能性】
【０１０８】
本開示のサイネージデータ入力装置は、サイネージデータ編集、および、サイネージデータ更新機能を有する機器に広く適用することができる。
【符号の説明】
【０１０９】
１００  データ入力システム
１０１  サイネージデータ入力装置
１０２  サイネージサーバ
１０３  サイネージ表示装置
２１０  店名
２１１、２１１Ａ、２１４  写真
２１２、２１５  メニュー名
２１３、２１３Ａ、２１６  価格
３０１  サイネージデータフォーマット
３０２、３０３  サイネージデータ
６０１  ログ受信部
６０２  解析部
６０３  項目送信部
６０４  編集指示受信部
６０５  更新部
６０６  データ送信部
６０７、１４０３  サイネージデータＤＢ
１２０１  項目受信部
１２０２  編集部
１２０３  写真ＤＢ
１２０４  撮影部
１２０５  変更送信部
１４０１  データ受信部
１４０２  更新部
１４０４  表示部
１４０５  ログ生成部
１４０６  ログ送信部
１８１０、１８１０Ａ  効果音
【図１】
2015084205.tif 000003
【図２】
2015084205.tif 000004
【図３Ａ】
2015084205.tif 000005
【図３Ｂ】
2015084205.tif 000006
【図４】
2015084205.tif 000007
【図５】
2015084205.tif 000008
【図６】
2015084205.tif 000009
【図７】
2015084205.tif 000010
【図８Ａ】
2015084205.tif 000011
【図８Ｂ】
2015084205.tif 000012
【図８Ｃ】
2015084205.tif 000013
【図８Ｄ】
2015084205.tif 000014
【図８Ｅ】
2015084205.tif 000015
【図８Ｆ】
2015084205.tif 000016
【図８Ｇ】
2015084205.tif 000017
【図９Ａ】
2015084205.tif 000018
【図９Ｂ】
2015084205.tif 000019
【図９Ｃ】
2015084205.tif 000020
【図９Ｄ】
2015084205.tif 000021
【図９Ｅ】
2015084205.tif 000022
【図９Ｆ】
2015084205.tif 000023
【図９Ｇ】
2015084205.tif 000024
【図１０】
2015084205.tif 000025
【図１１Ａ】
2015084205.tif 000026
【図１１Ｂ】
2015084205.tif 000027
【図１２】
2015084205.tif 000028
【図１３】
2015084205.tif 000029
【図１４】
2015084205.tif 000030
【図１５】
2015084205.tif 000031
【図１６】
2015084205.tif 000032
【図１７】
2015084205.tif 000033
【図１８】
2015084205.tif 000034
【図１９】
2015084205.tif 000035
【図２０Ａ】
2015084205.tif 000036
【図２０Ｂ】
2015084205.tif 000037
【図２０Ｃ】
2015084205.tif 000038
【図２０Ｄ】
2015084205.tif 000039
【図２０Ｅ】
2015084205.tif 000040
【図２０Ｆ】
2015084205.tif 000041